(57)【要約】【課題】  簡単且つしっかりと丸形バーの回動防止ができるバー受け止め具を提供することを課題とする。【解決手段】  丸形バー受け止め具本体１に軸心より上方に偏心して丸形バー１０の丸形バー受け部２を設けると共に両側面に係合用突起３，３を設け、前記丸形バー受け部２の内面にはゴム製テープ４を貼り付ける。前記本体１に回動自在に嵌合させる丸形キャップ状のロック環６には端面６ａに軸心より偏心して丸形バー１０の挿通孔８を設け、裾部の内面両側に係合用突起９，９を設ける。丸形バー１０をロック環６の挿通孔８に挿通して本体１の丸形バー受け部２に嵌合載置した後、ロック環６を本体１に嵌合し、ロック環６を回動して、丸形バー受け部２の内壁とロック環６の挿通孔８の内壁により丸形バー１０を抑止すると共に、係合用突起３，９を係合させロック環６の逆転を防止する。【選択図】  図６
0003112048.tif 000002
【実用新案登録請求の範囲】
【請求項１】
丸形バー受け止め具本体に丸形キャップ状のロック環を回動自在に嵌合し、前記ロック環には丸形バーの挿通孔を、また丸形バー受け止め具本体には丸形バー受け部をそれぞれ軸心から偏心させて設けたことを特徴とするバー受け止め具。
【請求項２】
ロック環の内周と丸形バー受け止め具本体の外周にロック時に互いに係合する回動防止用のストッパーを設けたことを特徴とする請求項１記載のバー受け止め具。
【請求項３】
丸形バー受け止め具本体の丸形バー受け部に丸形バーの回動を防止するためのテープ状の回動防止部材を設けたことを特徴とする請求項１又は２記載のバー受け止め具。
【考案の詳細な説明】
【技術分野】
【０００１】
本考案は、家具その他に設けるハンガー掛け用バー、カーテンレール用バー、ランドリーパイプ、物干し竿、打掛けバー等のバー受け止め具、詳しくは丸形バーのバー受け止め具に関するものである。
【背景技術】
【０００２】
従来、手摺り等に使用される丸形パイプ等の丸形バーを掴んだ時にバーが回らないようにするためには、バー受け止め具にバーの半径方向に止ネジを螺合して丸形バーを止めるか、長い止ネジを丸形バーの半径方向に貫通してナットで緊締する方法が採られている。
【０００３】
しかし両者の方法は設置現場で孔空け作業が必要であるばかりでなくタンス内等の狭い場所ではネジ止め作業が面倒であった。
【特許文献１】特開２００２−１７７６９４号公報
【特許文献２】特開２００２−３２３０１９号公報
【考案の開示】
【考案が解決しようとする課題】
【０００４】
そこで本考案は、簡単且つしっかりと丸形バーの回動防止ができるバー受け止め具を提供することを課題とするものである。
【課題を解決するための手段】
【０００５】
本考案は上記の課題を解決するためになされたもので、第１の考案は、丸形バー受け止め具本体に丸形キャップ状のロック環を回動自在に嵌合し、前記ロック環には丸形バーの挿通孔を、また丸形バー受け止め具本体には丸形バー受け部をそれぞれ軸心から偏心させて設けたバー受け止め具である。
【０００６】
第２の考案は、第１の考案においてロック環の内周とバー受け止め具本体の外周にロック時に互いに係合する回転防止用のストッパーを設けたバー受け止め具である。
【０００７】
第３の考案は、前記第１又は第２の考案において、丸形バー受け止め具本体の丸形バー受け部に丸形バーの回動を防止するためのテープ状の回動防止部材を設けたバー受け止め具である。
【考案の効果】
【０００８】
第１の考案によれば、丸形バー受け部とロック環のバー挿通孔を、本体、又はロック環の軸心から偏心して設けてあるので、ロック環を回動させたときバー挿通孔による押圧力が発生して丸形バーはバー挿通孔と丸形バー受け部とで抑止され、ネジ止めをしなくともロック環５を回動するだけで丸形バーを抑止し、丸形バーが簡単に回転しないようにロックすることができる。
【０００９】
第２の考案によれば、ロック環の逆回転を防止して緊締力の弛みを防止する効果がある。
【００１０】
第３の考案によれば、クッション性のあるテープ状の回動防止部材のアジャスト作用により回動防止部材を設けない場合よりも、丸形バーの回動を一層よく防止することができる。
【実施例１】
【００１１】
図１〜図５は本考案のー実施例を示すもので、図１は金属製の丸形バー受け止め具本体の正面図、図２は図１の右側面図、図３は図１及び図２に示した本体１に回動自在に嵌合する丸形キャップ状のロック環６の正面図、図４はその縦断面図、図５は背面図である。
【００１２】
バー受け止め具本体１（以下、単に本体という。）は、図１に示すように丸形に形成され、丸形バー受け部２が軸心より上方に偏心させて設けられている。そして本体１の外周面両側には係合用突起３，３が、また丸形バー受け部２の内面には丸形バーの回転を防止するためのクッション性のあるゴム製テープ４（回動防止部材）が両面テープで貼りつけてあり、また背面には取付ネジ孔５，５が設けられている。一方ロック環６には外周面上部に上側位置を示す目印７が設けられ、端面６ａには軸心より上方に偏心して丸形バーの挿通孔８が設けられており、またロック環６の裾部内周面の凹部６ｂの両側には、前記本体１に設けた係合用突起３，３と係合する係合用突起９，９が設けられている。
【００１３】
図６は本考案の実施例の使用方法を説明する縦断面図で、１０は丸形バーであり、先ずロック環６の挿通孔８に丸形バー１０を挿通する。次に丸形バー１０を本体１の丸形バー受け部２に嵌合載置した後、ロック環６を図６に示すように目印７を上にして本体１に嵌合する。
【００１４】
次いで図７(ａ)に示すように矢印方向にロック環６を回動すると、図７(ｂ)に示すように偏心して設けた挿通孔８が偏位して押圧力Ｆが生じ、丸形バー受け部２の右側内面２ａに丸形バー１０を押圧してロックする。
【００１５】
この時、図８に示すように係合用突起３と係合用突起９が係合し、ロック環６の逆回動を防ぐため、丸形バー１０は固定されロックされる。
【００１６】
また、ゴム製テープ４はクッション性があるためロック環６を回動することで丸形バー１０と密着し、ゴム製テープを設けない場合よりも丸形バーの回転がよりよく防止される。なお、ゴム製テープ４を設けた場合は、係合用突起３と係合用突起９を省略しても十分丸形バーの回転を防止する。
【実施例２】
【００１７】
図９〜図１６は材料としてガラス繊維入り６ナイロンを用いた本考案の異なる実施例を示すもので、図９は本体１の側面図。図１０は図９の右側面図。図１１は図９の左側面図。図１２は図９の縦断面図である。
【００１８】
図１３はロック環６の側面図。図１４は図１３の右側面図。図１５は図１３の左側面図。図１６は図１３の縦断面図である。
【００１９】
この図９〜図１６に示したプラスチック製の異なる実施例は、図１〜図５に示した実施例と設計的に異なるところがあるが同一部分は同一符号を付してある。
【００２０】
図９〜図１６に示した実施例のバー受け止め具は、先に図示した実施例と作用効果は同じであるがプラスチック製であるため、金属製のものより可撓性があり、密着性がよいので丸形バー１０とよく密着し一層よく固定する効果がある。尚、この異なる実施例２では、本体１を構成する材料費を軽減するため、丸形バー受け部２を図１０に示すように凹凸状にしてある。この凹凸状にした副次的効果としてゴム製テープ４が丸形バー受け部２の形状に沿って凹凸状にいくらか変形するため、丸形バー１０の回動を防止する滑止めの効果を増す効果がある。
【００２１】
以上図示した実施例は、ロック環６を何れの方向に回動しても丸形バー１０を抑止でき、抑止した時ロック環６が係止されるように係合用突起３，３及び９，９を左右に設けたが、片側だけに設けるようにしてもよいし、これら係合用突起３，９を省略しても実用上丸形バーをロックするバー受け止め具が得られる。
【００２２】
また、これらの実施例はいずれもゴム製テープ４を貼付したものであるが、ゴム製テープを設けない場合もある。なお、本体及びロック環の材料としては、金属材料でもよいが、プラスチィック材料を用いた方が製作上及び緊締作用上等の点から好ましい。
【００２３】
以上の説明からわかるように、本考案によればネジ止をしなくとも、ロック環６を回転するだけで丸形バー１０を抑止し、丸形バー１０が簡単に回転しないように固定することができる。
【図面の簡単な説明】
【００２４】
【図１】本考案のー実施例のバー受け止め具本体の正面図。
【図２】図１の右側面図。
【図３】本考案のー実施例のロック環の正面図。
【図４】図３の縦断面図。
【図５】図３の背面図。
【図６】本考案のー実施例の使用状態における縦断面図。
【図７】本考案のー実施例の回転ロック時の作用説明図で、(ａ)がロック前、(ｂ)はロック時を示すものである。
【図８】図７（ｂ）のロック時における背面図。
【図９】本考案の異なる実施例のバー受け止め具本体の側面図。
【図１０】図９の右側面図。
【図１１】図９の左側面図。
【図１２】図９の縦断面図。
【図１３】本考案の異なる実施例のロック環の側面図。
【図１４】図１３の右側面図。
【図１５】図１３の左側面図。
【図１６】図１３の縦断面図。
【符号の説明】
【００２５】
１        本体
２        丸形バー受け部
３，９    係合用突起
４        ゴム製テープ（回動防止部材）
５        取付ネジ孔
６        ロック環
７        目印
８        挿通孔
１０        丸形バー
【図１】
0003112048.tif 000003
【図２】
0003112048.tif 000004
【図３】
0003112048.tif 000005
【図４】
0003112048.tif 000006
【図５】
0003112048.tif 000007
【図６】
0003112048.tif 000008
【図７】
0003112048.tif 000009
【図８】
0003112048.tif 000010
【図９】
0003112048.tif 000011
【図１０】
0003112048.tif 000012
【図１１】
0003112048.tif 000013
【図１２】
0003112048.tif 000014
【図１３】
0003112048.tif 000015
【図１４】
0003112048.tif 000016
【図１５】
0003112048.tif 000017
【図１６】
0003112048.tif 000018